(57)【要約】【課題】  携帯電話や身の回りの小物などのグッズを専門の塗装業者に依頼することなく、その場で簡単に他人との差別化を図ったオリジナルグッズとすることができ、しかもシールを貼り付けることもなく、背景が透けて見えたり、印刷が不鮮明にならないようにした物品のプリント供給システムを提供することを目的とする。【解決手段】  被プリント物体の画像データを入力し、被プリント物体にプリントされる貼付画像データを入力し、前記被プリント物体画像に前記貼付画像を重ね表示し、該被プリント物体画像に対して貼付画像を縮小、拡大、移動するとともに、該貼付画像に文字及び図形を合成あるいは編集し、該合成あるいは編集された画像を前記被プリント物体の表面に直接プリントアウトするようにした。【選択図】図１
2009060562.tif 000002
【特許請求の範囲】
【請求項１】
被プリント物体の画像データを入力し、被プリント物体にプリントされる貼付画像データを入力し、前記被プリント物体画像に前記貼付画像を重ね表示し、該被プリント物体画像に対して貼付画像を縮小、拡大、移動するとともに、該貼付画像に文字及び図形を合成あるいは編集し、該合成あるいは編集された画像を前記被プリント物体の表面に直接プリントアウトするようにしたことを特徴とする、物品のプリント供給システム。
【請求項２】
請求項１に記載する物品のプリント供給システムにおいて、前記被プリント物体の表面に前記画像をプリントアウトした後に、該プリント面を透明シールで覆うようにしたことを特徴とする、物品のプリント供給システム。
【請求項３】
請求項１または請求項２に記載する物品のプリント供給システムにおいて、前記画像をプリントアウトする前に、被プリント物体の表面にインクを塗布するに適した材質からなる熱硬化性のコーティング剤を塗布するようにしたことを特徴とする、物品のプリント供給システム。
【発明の詳細な説明】
【技術分野】
【０００１】  本発明は、携帯電話や身の回りの小物などの物品（グッズ）の表面にプリントを行うようにした物品のプリント供給システムに関する。
【背景技術】
【０００２】  最近では、携帯電話や身の回りのグッズを、他人と差別化を図るために所望のデザインや所望のカラーに装飾し、世界に一つしかないオリジナルグッズとして楽しむ傾向がある。これを実現する方法として塗装（エアーブラシ、筆等）を行ったり、塩化ビニル系等の樹脂フィルム製のシールに印刷し、このシールを貼り付けることがある。
【発明の開示】
【発明が解決しようとする課題】
【０００３】  しかしながら、塗装を行うためには専門の塗装業者に依頼するなど所定期間預け出さなければならず、その間、携帯電話等を使用できないといった煩わしさがある。また、市販のシールに希望するデザイン等を印刷し、この印刷されたシールを携帯電話等に貼り付ける場合は、シールを貼り付ける手間を要し、しかも貼り付けたシールの余分な部分をカッターで取り除くなど煩雑な作業を必要とする。またシール自体が透明であるため背景が透けて見えたり、ボディが黒い場合は印刷が鮮明にならないなどの不具合がある。【０００４】  本発明は、上記課題に鑑みてなされたものであって、その目的は、携帯電話や身の回りの小物などのグッズを専門の塗装業者に依頼することなく、その場で簡単に他人との差別化を図ったオリジナルグッズとすることができ、しかもシールを貼り付けることもなく、背景が透けて見えたり、印刷が不鮮明にならないようにした物品のプリント供給システムを提供することにある。
【課題を解決するための手段】
【０００５】  上記のような目的を達成するために、本発明の物品のプリント供給システムは、被プリント物体の画像データを入力し、被プリント物体にプリントされる貼付画像データを入力し、前記被プリント物体画像に前記貼付画像を重ね表示し、該被プリント物体画像に対して貼付画像を縮小、拡大、移動するとともに、該貼付画像に文字及び図形を合成あるいは編集し、該合成あるいは編集された画像を前記被プリント物体の表面に直接プリントアウトするようにしたことを特徴とするものである。【０００６】  また、前記被プリント物体の表面に前記画像をプリントアウトした後に、該プリント面を透明シールで覆うようにしたことを特徴とするものである。さらに、前記画像をプリントアウトする前に、被プリント物体の表面にインクを塗布するに適した材質からなる熱硬化性のコーティング剤を塗布するようにするのが好ましい。
【発明の効果】
【０００７】  上記構成の本発明によれば、携帯電話や身の回りのグッズを専門の塗装業者に依頼することなく、その場で簡単に他人との差別化を図ったオリジナルグッズとすることができる。また本発明によれば印刷されたシール等を携帯電話や身の回りのグッズに貼り付ける必要がなく、しかも背景が透けて見えたり、印刷が不鮮明にならないようにした物品のプリント供給システムを提供することができる。
【発明を実施するための最良の形態】
【０００８】  以下、図面を参照しながら、本発明に係る実施の形態について説明する。【０００９】＜イ＞本システム（図１）
本システムは、被プリント物体（携帯電話や身の回りのグッズなど、その表面にお気に入りの画像をプリントする物品）７の画像データを入力する撮影用のカメラ１０と、お気に入りの画像（貼付画像）データを入力する貼付画像入力装置１１と、これらカメラ１０及び貼付画像入力装置１１によって入力された画像を編集するパソコン本体部２と、編集したお気に入りの画像を被プリント物体７の表面にプリント（印刷）するプリンター３等から構成されている。カメラ１０、貼付画像入力装置１１及びパソコン本体部２は、ハウジング１内に収納されている。またハウジング１には、各種画像を表示するディスプレイ装置１２、コイン投入口１５、スピーカ１６等が備えられている。カメラ１０が設置されている箇所はボックス状に凹んでおり、被プリント物体７を置いて撮影することができるように受台１４となっている。【００１０】＜ロ＞貼付画像入力装置（図１）
貼付画像入力装置１１は、例えば撮影用カメラ１１ａや記録メディア入力装置１１ｂで、これらはハウジング１の上部に設けられている。撮影用カメラ１１ａはユーザーを写真撮影し、貼付画像データを出力する。記録メディア入力装置１１ｂは、各種のメモリカードや記録媒体等の記録メディアからユーザーのお気に入りの写真等の貼付画像データを読み取るもので、カードリーダ、ＣＤ／ＤＶＤドライブ、赤外線ポート、スキャナー等を用いることができる。【００１１】＜ハ＞ディスプレイ装置（図１）
貼付画像入力装置１１の直ぐ下にディスプレイ装置１２が設けられている。ディスプレイ装置１２はタッチパネル１３を兼ねており、タッチ操作により画像の選択、画像の合成・編成等の入力ができる。ディスプレイ１２には、画像編集処理における各種メッセージや各種編集ツール、編集対象の画像などが表示され、タッチペン（または指）をタッチパネル１３に接触させることによって、入力操作が可能になる。本システムの各種操作は、ディスプレイ１２に表示される各種メッセージや、スピーカー１６からのガイダンス音声にしたがって行う。【００１２】  ＜ニ＞パソコン本体部（図２）
パソコン本体部２には、カメラ１０、１１ａの撮影動作を制御すると共に、撮影された画像データを画像処理回路２２へ送出するカメラ制御回路２０と、装置全体の制御を行う中央処理装置（ＣＰＵ）２１と、画像データの編成処理を行う画像処理回路２２と、画像合成処理のプログラムを含む各種のアプリケーションソフト等が格納され、また各種画像データが一時記録されるメモリ回路２３と、記録メディア入力装置１１ｂを制御する制御部２４と、プリンター用インターフェース２５とが設けられている。２６は、各回路要素間のデータの伝送を行うデータパスである。【００１３】  パソコン本体部２の主要な機能は、▲１▼カメラ１０により撮影された被プリント物体画像７ａ（図４（Ａ））の電子データを記録し、▲２▼カメラ１１ａにより撮影された被写体等の貼付画像８（図４（Ｂ））の電子データを記録し、画像処理を行い、▲３▼あるいは記録メディア入力装置１１ｂから読み込んだお気に入り画像（貼付画像８）データの画像処理を行い、▲４▼被プリント物体画像７ａと貼付画像８とを重ね表示し（図４（Ｃ）、図４（Ｄ））、▲５▼ユーザーによって書き込まれた文字等と合成して所望の画像データ信号を編成し、▲６▼ディスプレイ装置１２に出力して、所望の画像を表示させるとともに、▲７▼プリンター３に出力して、所望の画像を被プリント物体７にプリントするという一連の作動を実行する。【００１４】  ＜ホ＞プリンター（図３）
プリンター３は、所望の画像を被プリント物体７の表面へ直接プリントするもので、被プリント物体７をセットする載置台３１とインクジェット方式のインクヘッド３０等を備えている。インクヘッド３０は、ガイドバー３０ａに案内されて左右方向（Ｘ方向）に走査可能であり、入力された印刷データに基づき走査されて印刷を行う。載置台３１は、ブラケット３２に支持されており、ブラケット３２はプリンター３本体に支持されている。載置台３１に取り付けられたラックに、ブラケット３２のピニオンが噛み合って構成した前後駆動機構３１ａにより、載置台３１はブラケット３２に対して前後方向（Ｙ方向）へ移動可能である。またプリンター３本体に回転自在に設けたネジ軸がブラケット３２のナットにネジ嵌合して構成した上下駆動機構３２ａにより、ブラケット３２はプリンター３本体に対して上下方向（Ｚ方向）へ移動可能である。これによって被プリント物体７は、インクヘッド３０に対してＹ及びＺ方向へ移動可能となっている。【００１５】  プリンター３でプリントするためには、被プリント物体７の表面とインクヘッド３０との間に所定の間隔を設定する必要があり、本例では、プリンター３に基準バー３３を水平に設けている。被プリント物体７を載置台３１に載せ、ブラケット３２を上方へ移動し、被プリント物体７を基準バー３３に当接させて所定の間隔を設定する。さらにプリンター３で被プリント物体７の所定箇所に画像８をプリントするためには、被プリント物体７を載置台３１の所定の箇所に位置決めしてセットする必要がある。この一例として被プリント物体画像７ａ（図４（Ａ））と貼付画像８（図４（Ｂ））とを重ねた重ね表示画像９（図４（Ｄ））を、通常のプリンター５で紙５２にプリントし（図５（Ａ））、これを基準用紙５２として載置台３１の基準線３１ｘ，３１ｙに沿って貼り付ける（図５（Ｂ））。そして被プリント物体７を基準用紙５２上の被プリント物体画像７ａに一致させてセットする（図５（Ｃ））。この状態でプリンター３が駆動すると、インクヘッド３０が走査すると同時に載置台３１が前進していく（プリンター３内に入り込んでいく）ことにより被プリント物体７の表面に貼付画像８がプリントされていく。【００１６】＜ヘ＞コーティング剤
携帯電話や身の回りのグッズにはインク吸収性のない媒体が多く、プリントを行う前に、これらの表面に例えばインクを塗布するに適した材質からなる液状のコーティング剤を塗布しておく。液状のコーティング剤は、紫外線硬化性のコーティング剤または熱硬化性のコーティング剤を用い、紫外線または赤外線を照射し硬化させる。なお、インク吸収性のある媒体の場合は、コーティング剤は不要である。【００１７】＜ト＞シール貼付装置（図６）
インク吸収性のない媒体の場合はインクと下地との密着性が悪く、インクが剥げてしまうなどの問題があるため、プリントを行った後の被プリント面の表面を透明シール４ａで覆うようにしてある。シール貼付装置４は、透明シール４ａを被プリント物体７へ貼り付けるもので、本体４０に作業台４４及び真空ボックス４５が設けられ、蓋４１にヒータ４２及び弾力性のあるマット部材４３が設けられている。真空ボックス４５は、作業台４４との間に真空吸引のための小孔４６が多数あけられ、下方に吸引ホース４７を介して真空ポンプ４８に接続している。【００１８】  図６（Ａ）は透明シール４ａの貼付準備状態を示し、作業台４４の上に熱可塑性接着剤を塗布した被プリント物体（携帯電話）７を載せ、透明シール４ａを被プリント物体７に被せている（透明シール４ａに熱可塑性接着剤を塗布してもよい）。次に図６（Ｂ）に示すように蓋４１を下降し、加熱されたマット４３が透明シール４ａを覆うとともに、真空ポンプ４８で真空吸引することで、被プリント物体７の表面に沿って透明シール４ａが延伸し、熱可塑性接着剤が溶融される。その後、蓋４１を上昇させて透明シール４ａからマット４３を引き離すと、熱可塑性接着剤の温度が下がって硬化し、透明シール４ａが被プリント物体７に貼り付けられる。【００１９】＜チ＞作用
ユーザーのお気に入り写真に文字や図形を合成した画像（ユーザーとアイドルを合成したり、気に入った景色と合成したり、さらに文字や図形を合成した画像など）を、被プリント物体（携帯電話）７にプリントする場合について、図７のフローチャートに基づいて述べる。【００２０】  先ずコイン投入口１５に所定の料金を投入し（ステップＳ１）、タッチパネル１３を操作して被プリント物体７をカメラ１０で写真撮影する。撮影した画像データ（被プリント物体画像７ａ。図４（Ａ））は、カメラ制御回路２０を介してメモリ回路２３に保存される（ステップＳ２）。【００２１】  次に携帯電話７にプリントするユーザーの画像（貼付画像）をその場で写真撮影か、お気に入りの写真を読み込むかをタッチパネル１３で選択する（ステップＳ３）。その場で撮影の場合はカメラ１１ａで写真撮影し（ステップＳ４）、画像データ（貼付画像８、図４（Ｂ））がメモリ回路２３に読み込まれる。お気に入りの写真を使用する場合は、記録メディア、例えばデジカメ等で既に撮影済みの写真が収録されているメモリデータを記録メディア入力装置１１ｂで読み込む（ステップＳ５）。タッチパネル１３を操作して読み込んだ画像データの一覧をディスプレイ装置１２上に表示させる。一覧のうち希望するお気に入りのものをタッチして画像データを選択すると（ステップＳ６）、その画像データ（貼付画像８、図４（Ｂ））がメモリ回路２３に読み込まれる（ステップＳ７）。
なお、ステップＳ５のメモリデータの読み込みのほかにＣＤ、ＤＶＤ、紙、携帯電話（赤外線）等から読み込んでもよい。【００２２】  読み込んだ貼付画像８の背景等を修正する場合は（ステップＳ８）、タッチパネル１３で編集モードに切り替え、タッチペンを用いて貼付画像８の背景画像を修正する（ステップＳ９）。次にユーザー自身の写真にアイドルなど芸能人の写真、あるいは景色の写真等を合成する場合は、次の画像データを読み込むかどうかを判断し（ステップＳ１０）、読み込む必要があれば、作業は前記ステップＳ３に戻り、同様の操作を行う。読み込む必要がない場合は、ステップＳ１１へ進む。ステップＳ１１では、ステップＳ２で読み込んだ被プリント物体画像７ａをメモリ回路２３から読み出してディスプレイ１２に表示する。【００２３】  次いでタッチパネル１３で編集モードに切り替え、被プリント物体画像７ａに貼付画像８を重ねて表示し（ステップＳ１２）、被プリント物体画像７ａに対して貼付画像８の大きさや貼付位置が希望どおりか確認する（図４（Ｃ）参照）。希望どおりでない場合はタッチペンで貼付画像８を矢印ａのごとくドラッグして縮小または拡大したり、矢印ｂのごとくドラッグして移動して貼付位置を修正する（ステップＳ１３）。このようにして重ね表示画像９（図４（Ｄ）参照）を作成する。【００２４】  落書きを行う場合は、落書モード（文字入力モード）を起動させ、重ね表示画像９上にタッチペンを用いて合成用の文字列（自筆の文字、図形等）を入力し、文字情報を合成手段により合成してディスプレイ１２に表示する（ステップＳ１４）。以上の処理により、お気に入りの貼付画像８を作成する。【００２５】  貼付画像８を確認してＯＫであれば、次の作業へすすむ。前記したように被プリント物体画像７ａと貼付画像８とを重ね表示した画像９（図４（Ｄ））を、通常のプリンター５で紙５２にプリントし（ステップＳ１５）、載置台３１の基準線３１ｘ，３１ｙに沿って貼り付けておく（図５（Ｂ））。携帯電話７を受台１４から取り出し、前記したようにプリンター３の載置台３１上で基準バー３３に当接させて上下方向の位置決めを行ってから、携帯電話７のプリントすべき面に前記したようにコーティング剤を塗布し、基準用紙５２の重ね表示画像９に一致させてセットする（図５（Ｃ）。【００２６】  次にディスプレイ画面１２の「プリント」ボタンを押す。これにより、インターフェース２５に当該貼付画像データが送信され、プリンター３により被プリント物体７に貼付画像８がプリントされる（ステップＳ１６）。プリントされた携帯電話７をシール貼付装置４の作業台４４に置き、透明シール４ａを携帯電話等の被プリント物体７に被せ、前記したようにシール貼付装置４を操作して被プリント物体７に貼り付ける。またはシール貼付装置４を使用することなく、手動で透明シール４ａを携帯電話等の被プリント物体７の表面に押し当て、ドライヤー等の加熱器具により加熱を行いつつ、ゆっくりと延ばしながら、貼り付けてもよい。あるいは透明シールを使用することなくプリント面に液状のコーティング剤を塗布し、透明なオーバーコート膜を形成してもよい。なお、別の携帯電話に同じ画像をプリントする場合は（ステッ��Ｓ１７）、その携帯電話を載置台３１に置き、コインを投入し（ステップＳ１８）、同様にディスプレイ画面１２の「プリント」ボタンを押す。【００２７】  このようにして、本発明によればお気に入りの写真画像やこれらの合成画像を、携帯電話や身の回りの小物などのグッズにプリントすることができ、世界に一つしかないオリジナルグッズとして楽しむことができる。
【図面の簡単な説明】
【００２８】
【図１】本発明のプリント供給システムを示す概略斜視図。
【図２】本システムの回路構成を示すブロック図。
【図３】プリンターを示す概略図。
【図４】画像を示す図で、（Ａ）は被プリント物体画像、（Ｂ）は貼付画像、（Ｃ）は被プリント物体画像に対して貼付画像を重ね合わせ、貼付画像を編集する状態を示し、（Ｄ）は重ね表示画像を示す。
【図５】位置決めの一例を示す図で、（Ａ）は基準用紙、（Ｂ）は基準用紙を載置台に貼り付ける状態を示し、（Ｃ）は基準用紙に被プリント物体をセットする状態を示す。
【図６】シール貼付装置を示す概略図で、（Ａ）は装飾シールの貼付準備状態を示し、（Ｂ）は装飾シールの貼付状態を示す。
【図７】本システムの操作手順を示すフローチャート。
【符号の説明】
【００２９】１・・・・ハウジング
１０・・・カメラ
１１・・・貼付画像入力装置
１２・・・ディスプレイ装置
１３・・・タッチパネル
２・・・・パソコン本体部
２０・・・カメラ制御回路
２２・・・画像処理回路
２３・・・メモリ回路
３・・・・プリンター
３０・・・インクヘッド
３１・・・載置台
４・・・・シール貼付装置
４２・・・ヒータ
４４・・・作業台
４５・・・真空ボックス
５・・・・プリンター
７・・・・被プリント物体
７ａ・・・被プリント物体画像
８・・・・貼付画像
９・・・・重ね表示画像
【図１】
2009060562.tif 000003
【図２】
2009060562.tif 000004
【図３】
2009060562.tif 000005
【図４】
2009060562.tif 000006
【図５】
2009060562.tif 000007
【図６】
2009060562.tif 000008
【図７】
2009060562.tif 000009